Podtech/llm-jp-corpus-v4-ja_patent huggingface dataset:
(57)【要約】【課題】コイガ卵の孵化阻害効力を有する特に優れた組成物を提供すること。【解決手段】トランスフルスリンとエンペントリンとが紙状体に保持されてなる、コイガ卵の孵化阻害剤。該孵化阻害剤は、衣料害虫に対する殺虫効力、忌避効力、食害防止効力は言うに及ばず、衣料害虫の卵に対する孵化阻害効力においても優れた効力を有するものである。【選択図】なし【特許請求の範囲】
【請求項１】
コイガ卵の孵化阻害の為の、トランスフルスリンとエンペントリンとが紙状体に保持されてなる組成物の使用。
【請求項２】
紙状体の厚さが0.1〜４mm、かつ緊度が0.2〜0.7g/cm3である請求項１記載の使用。
【請求項３】
紙状体に保持されるトランスフルスリンとエンペントリンとの重量比が５：９５〜９５：５の範囲内である請求項１又は請求項２記載の使用。
【請求項４】
トランスフルスリンとエンペントリンとが紙状体に保持されてなる、コイガ卵の孵化阻害剤。
【発明の詳細な説明】
【技術分野】
【０００１】
本発明は、コイガ卵の孵化阻害剤等に関する。
【背景技術】
【０００２】
トランスフルスリンが衣料害虫防除剤の有効成分として用い得ることは、特許文献１において知られている。また、現在エンペントリンを有効成分とする衣料害虫防除剤が市販されている。
【特許文献１】特開平６−９３１８号公報
【発明の開示】
【発明が解決しようとする課題】
【０００３】
しかしながら、衣料害虫の防除に際しては、従来より考えられてきた要素である衣料を加害する害虫（即ち、イガ、コイガ等の幼虫など）に対する殺虫効力、忌避効力、食害防止効力のみならず、衣料害虫卵の孵化阻害効力も重要である。本願は、コイガ卵の孵化阻害効力を有する特に優れた組成物を提供することを目的になされたものである。
【課題を解決するための手段】
【０００４】
本発明は、コイガ卵の孵化阻害の為の、トランスフルスリンとエンペントリンとが紙状体に保持されてなる組成物の使用、及びコイガ卵の孵化阻害剤を提供するものであり、衣料害虫に対する殺虫効力、忌避効力、食害防止効力は言うに及ばず、衣料害虫の卵に対する孵化阻害効力においても優れた効力を有するものである。
【発明の効果】
【０００５】
本発明の組成物は、衣料害虫卵の孵化阻害効力において優れた効力を発揮し、衣料害虫の防除に極めて有用なものである。
【発明を実施するための最良の形態】
【０００６】
本発明において、トランスフルスリンとエンペントリンとが保持される紙状体の厚さは0.1〜４mm、緊度は0.2〜0.7g/cm3 のものが好ましく、トランスフルスリンとエンペントリンとの混合割合は重量比で５：９５〜９５：５の範囲内にあることが好ましい。本発明において、紙状体は厚紙、濾紙等のパルプ紙のみならず、コットンリンター等のパルプ以外の植物繊維質のものであってもよい。
【０００７】
本発明の孵化阻害剤は、例えば、紙状体にトランスフルスリンとエンペントリンとを通常、アセトン等のケトン、メタノール、エタノール等のアルコール、ジクロロエタン等のハロゲン化炭化水素、テトラヒドロフラン、ジオキサン等のエーテル、酢酸エチル等のエステル、ヘキサン、ケロシン、石油ベンジン等の炭化水素などの溶媒に溶解し、塗布、含浸等により保持させて製造することができる。紙状体への保持量は、トランスフルスリンとエンペントリンとの合計量で通常、0.1〜100mg／cm3程度である。トランスフルスリンとエンペントリンとを紙状体に保持させるとき、溶媒に溶解させる際に乳化剤、分散剤、展着剤、安定剤等を添加してもよい。また、他の防虫剤、共力剤、防黴剤等を添加してもよい。
【０００８】
本発明の孵化阻害剤は、コイガ等の Tineola属、イガ等の Tinea属、ジュウタンガ等のTrichophaga属、ヒメカツオブシムシ等のAttagenus属、ヒメマルカツオブシムシ等のAnthrenus属などの衣料害虫を防除するのに有効であり、本発明の孵化阻害剤を和ダンスの抽斗内に入れたり、洋ダンス内に適当な容器に入れて吊り下げる等の方法により用いられる。本発明の孵化阻害剤の使用量は、通常、空間１ｍ3当たりトランスフルスリンとエンペントリンとの合計量で１〜10ｇ程度である。
【０００９】
トランスフルスリンとエンペントリンとの混合物は、蚊取り線香、電気蚊取りマット、エアゾール、油剤、乳剤等の通常の製剤形態において使用することもでき、相加的にその殺虫効力を発揮し得るが、本発明の紙状体に保持された孵化阻害剤としての使用形態においては、特に、後述の実施例に示されるように衣料害虫卵の孵化阻害効力において相乗的にその殺虫効力を発揮するものである。
【実施例】
【００１０】
次に、本発明の孵化阻害剤の製造例及び試験例を実施例として示す。
実施例１
厚さ0.2mm、緊度0.5g/cm3の紙（濾紙）を34cm×58cmに切取り、トランスフルスリンとエンペントリンとの各々50mgをアセトンに溶解した溶液を滴下、含浸し、風乾して本発明の孵化阻害剤を得た。
【００１１】
実施例２
厚さ2.5mm、緊度0.4g/cm3、大きさ2.2cm×3.5cmの紙（コットンリンター）に、トランスフルスリンとエンペントリンとの各々50mgをアセトンに溶解した溶液を滴下、含浸し、風乾して本発明の孵化阻害剤を得た。
【００１２】
後述の実施例３（試験例）において比較対照のために用いられる孵化阻害剤の製造例を参考例１及び参考例２として示す。
参考例１
実施例１において、トランスフルスリン50mgとエンペントリン50mgとを用いるかわりにトランスフルスリン100mgを用いて比較用の孵化阻害剤を得た。
参考例２
実施例１において、トランスフルスリン50mgとエンペントリン50mgとを用いるかわりにエンペントリン100mgを用いて比較用の孵化阻害剤を得た。
【００１３】
実施例３
43cm×73cm×16cmの衣装箱内に作業服（ポリエステル65％、綿35％製）８着を左右に各４着ずつ重ねて収納し、実施例１、参考例１又は参考例２で得た孵化阻害剤を下から２着目と３着目との間に挟むように設置した。
一定期間（４週、20週及び40週）経過後、コイガ卵（産卵後約１日）10個を２cm×２cmのウールモスリン布と共に直径3.5cmのプラスチックシャーレ内に入れたものをいくつか用意し、上述の衣装箱内で、孵化阻害剤と下から３着目の服の間、下から３着目と４着目の服の間、積み重ねた服の一番上の各々に設置した。
次いで、衣装箱に蓋をし、25℃の室内に１週間保存した後、卵の孵化状況を観察した。結果を表１に示す。尚、結果は６か所に設置した卵の観察結果を平均した値で示した。
表中の×は卵の孵化率が50％以上、△は30％以上50％未満、○は10％以上30％未満、◎は10％未満であったことを示す。
【００１４】
【表１】
2007186526.tif 000002
(57)【要約】      （修正有）【課題】ペットボトル用キャップのキャップ固定用リングを簡単に外せるようにする。【解決手段】ペットボトル用キャップ本体１のキャップ固定用リング２の表面に、斜めか縦の切断用切り目４を入れて、切断用切り目部分の下側横に引っ張り用フック５を附ける。フックをペットボトル容器本体に反って引っ張ると、切断用切り目が切り離されて、キャップ切断用ミシン目３も切り離される。そのため、ペットボトル容器本体からキャップ固定用リングを分別することは、一般の主婦や子供でも簡単にできる。またリサイクルする際キャップ固定リングは取り外されるため、作業工程も除去作業もたやすく効率も良い。【選択図】図１
2007186253.tif 000002
【特許請求の範囲】
【請求項１】
ペットボトル用キャップのキャップ固定用リング表面に、斜めか縦の切断用切り目又は切断用ミシン目を入れて、少しの力で切断されるようにしたことを特徴とするペットボトル用キャップ
【請求項２】
ペットボトル用キャップのキャップ固定用リング表面の、切断用切り目部分の下側横に引っ張り用フックを附けて、フックを引くことで簡単に切断用切り目からキャップ切断用ミシン目まで切り離されることを特徴とするペットボトル用キャップ
【発明の詳細な説明】
【技術分野】
【０００１】  本発明は、ペットボトル容器本体やペットボトル用キャップのゴミ分別からリサイクルに関すること。ペットボトル用キャップ本体のキャップ切断用ミシン目を境に上と下に分かれ、下側のキャップ固定用リングを外すことが困難だが、ペットボトル容器本体から簡単に外せるようにした。ペットボトル用キャップ本体の改良に関するものである。
【背景技術】
【０００２】  従来ペットボトル用キャップ本体は、キャップを左巻に回すとキャップ切断用ミシン目が切り離されて、ペットボトル容器本体から分かれるが、キャップ固定用リングは、ペットボトル容器本体から簡単には取り外せないので、附けたままリサイクルに出されることが多い。
【発明の開示】
【発明が解決しようとする課題】
【０００３】  ゴミ分別からリサイクルするとき、ペットボトル用キャップ本体のキャップ固定用リングが簡単に外せないため、キャップ固定用リングは分別されないまま、リサイクル工場に出されている。またリサイクル作業工程は、効率悪く困難で手間もかかる。これらを解決することを課題とする。
【問題を解決するための手段】
【０００４】  請求項１の発明は、ペットボトル用キャップのキャップ固定用リング表面に、斜めか縦の切断用切り目を入れる。その部分を少しの力で引くと簡単に切断されることを特徴とする。
【０００５】  請求項２の発明は、ペットボトル用キャップのキャップ固定用リングの、切断用切り目部分の下側横に、引っ張り用フックを附けてフックを引くことで切断用切り目が切断れて、さらにキャップ切断用ミシン目も簡単に切り離される。ことを特徴とする。
【発明の効果】
【０００６】  ペットボトル用キャップのキャップ固定用リングの表面に斜めか縦の切断用切り目を入れて、切断用切り目部分の下側横に引っ張り用フックを附ける。フックを引くことで簡単に切断用切り目からキャップ切断用ミシン目まで切り離されることで、ペットボトル容器本体とキャップ固定用リングを分別できる。またリサイクルする際の作業工程の効率が良く除去作業も簡単になる。
【発明を実施するための最良の形態】
【０００７】  図１は、ペットボトル用キャップのキャップ固定用リング２の表面に切断用切り目４を入れて、切断用切り目４の下側横に引っ張り用フック５を附ける。引っ張り用フック５を引くと、切断用切り目４が切断されてから、引っ張り用フック５をペットボトル容器本体の外周に反って引っ張ると、キャップ切断用ミシン目３も切り離される。キャップ固定用リング２は引っ張り用フック５と共にペットボトル容器本体から分別される。
【産業上の利用可能性】
【０００８】  本発明に係るペットボトル用キャップ本体は、工業的に量産する事が可能であるため、産業上の利用可能性を有する。
【図面の簡単な説明】
【０００９】
【図１】  ペットボトル用キャップ本体正面図
【図２】  ペットボトル用キャップ本体斜視図
【符号の説明】
【００１０】  １  キャップ
２  キャップ固定用リング
３  キャップ切断用ミシン目
４  切断用切り目
５  引っ張り用フック
６  キャップ内側の点線
【図１】
2007186253.tif 000003
【図２】
2007186253.tif 000004
(57)【要約】【課題】  飲用時、キャップを樹脂容器に固定する事ができ、飲用後は、樹脂容器、キャップ共に重ねる事ができる飲料用カップ型樹脂容器を提供する。【解決手段】  底面より飲み口の口径の方が大きい逆円錐台形状の樹脂容器と、樹脂容器に固定するためのカップホルダー、キャップ相互を結合するための結合部を有するキャップからなり、飲料が入っていない時は、樹脂容器、キャップ共に重ねる事ができる事を特徴とするカップ型樹脂容器。【選択図】図１
2007186254.tif 000002
【特許請求の範囲】
【請求項１】
底面より飲み口の口径の方が大きい逆円錐台形状の樹脂容器と、樹脂容器に固定するためのカップホルダー、キャップ相互を結合するための結合部を有するキャップからなり、飲料が入っていない時は、樹脂容器、キャップ共に重ねる事ができる事を特徴とするカップ型樹脂容器。
【発明の詳細な説明】
【技術分野】
【０００１】  本発明は、飲用時、キャップを樹脂容器に固定する事ができ、飲用後は、樹脂容器、キャップ共に重ねる事ができる飲料用カップ型樹脂容器に関するものである。
【背景技術】
【０００２】  従来、飲料容器ペットボトルは飲用時、開封後のキャップを本体とは別で保持する必要があった。また、缶を含め、飲料容器の家庭での再利用方法として、飲料用での使用は困難であった。さらに、ペットボトル、缶共に飲み口が小さく、飲用後コンパクトに重ねる事ができなかった。
【発明の開示】
【発明が解決しようとする課題】
【０００３】  そのために、次のような問題点があった。
（イ）ペットボトルのキャップを落下させてしまったり、紛失してしまう。
（ロ）家庭にある飲料を屋外で飲用するには、水筒を使用するしかなく、空になってもそれを保持する必要がある。また、現地で同様の飲料を買ってもよいが、不経済である。
（ハ）処分、又は保管する際、非常にかさばる。
本発明は以上の問題点を解決しようとするものである。
【課題を解決するための手段】
【０００４】  底面より飲み口の口径の方が大きい逆円錐台形状の樹脂容器と、樹脂容器に固定するためのカップホルダー、キャップ相互を結合するための結合部を有するキャップからなり、飲料が入っていない時は、樹脂容器、キャップ共に重ねる事ができる事を特徴とするカップ型樹脂容器である。
【発明の効果】
【０００５】  本発明は、キャップを樹脂容器に固定する事ができるため、飲用時のキャップの落下や、紛失を防ぐ事ができる。また、飲用後は樹脂容器、キャップ共重ねる事ができるため、省スペースでの処分、又は再使用のための保管ができる。
【発明を実施するための最良の形態】
【０００６】  以下、本発明の実施の形態を説明する。
（イ）ポリエステル等の樹脂また発泡性樹脂からなる樹脂容器（１）は、底面（５）を有し上面を開口した開口部（６）とし、開口部（６）は底面（５）より口径を大きくした逆円錐台形状とし、樹脂容器（１）の底面（５）の周囲に円環状からなる脚部（７）を設ける。
（ロ）樹脂容器（１）の開口部（６）の外側周囲に雄ネジ部（８ａ）を設け、キャップ（２）の側面内側に設けられた雌ネジ部（８ｂ）とネジ止め自在とする。
（ハ）キャップ（２）の天板の内側に、仮想三角形（Ａ）の各頂点の位置に３個の小球体からなるカップホルダー（４）を設け、その仮想三角形（Ａ）は樹脂容器（１）の脚部（７）の内側に接するように正三角形を描いた時に想定したときの仮想三角形（Ａ）の各々の頂点の位置と同じ位置にする。
（ニ）キャップ（２）の外側上面にネジ部からなる結合部（３）を設け、結合部（３）のネジ部は、別のキャップを被せたときにそのキャップの側面内側に設けられた雌ネジ部（８ｂ）にネジ止め可能とする。
本発明は以上の構成からなるので、本発明を使用するときは、飲用時は図３、図４に示すようにキャップの天板の内側のカップホルダー（４）と、樹脂容器（１）の脚部（７）をはめ合わせ固定する。飲用後は樹脂容器（１）は図７、図８に示すように開口部（６）に別の樹脂容器を脚部（７）から挿入し重ね、キャップ（２）は図５、図６に示すように外側上面の結合部（３）のネジ部に別のキャップの側面内側に設けられた雌ネジ部（８ｂ）とネジ止めし重ねる。なお、本発明は上記形状のため、飲用後の再使用も容易にできる。
【実施例１】
【０００７】  樹脂容器（１）の脚部と、キャップの天板の内側のカップホルダー（４）をはめ合わせず、少しずらす事によってキャップ（２）は樹脂容器（１）に固定されないため、キャップ（２）をコースターとして使用することができる。
【実施例２】
【０００８】  キャップ（２）にカラーバリエーションをつけることにより、複数人が集う場でも各自が、自分の飲用中の物を容易に判別する事ができる。
【図面の簡単な説明】
【０００９】
【図１】  本発明の断面図
【図２】  本発明の斜視図
【図３】  本発明の使用状態を示す断面図
【図４】  本発明の使用状態を示す一部透視斜視図
【図５】  本発明のキャップを重ねた状態を示す断面図
【図６】  本発明のキャップを重ねた状態を示す斜視図
【図７】  本発明の樹脂容器を重ねた状態を示す断面図
【図８】  本発明の樹脂容器を重ねた状態を示す斜視図
【図９】  本発明の実施例１を示す断面図
【図１０】  本発明の実施例１を示す一部透視斜視図
【図１１】  本発明のカップホルダーの位置を示す斜視図
【符号の説明】
【００１０】１    樹脂容器
２    キャップ
３    結合部
４    カップホルダー
５    底面
６    開口部
７    脚部
８ａ  雄ネジ部
８ｂ  雌ネジ部
Ａ    仮想三角形
【図１】
2007186254.tif 000003
【図２】
2007186254.tif 000004
【図３】
2007186254.tif 000005
【図４】
2007186254.tif 000006
【図５】
2007186254.tif 000007
【図６】
2007186254.tif 000008
【図７】
2007186254.tif 000009
【図８】
2007186254.tif 000010
【図９】
2007186254.tif 000011
【図１０】
2007186254.tif 000012
【図１１】
2007186254.tif 000013
(57)【要約】【課題】  植物としての桑の枝や葉等を、釜類等により成分を煮だして液体を抽出し、それに細粉化した籾殻を一緒にミキサー等の混合用容器で混合させて組成物をつくり、トイレの便器やタイル・ガラス・流し台等の水垢や油汚れを落とす為の洗浄剤ないしは研磨剤、ならびにその使用方法とする。【解決手段】  桑の葉や枝等を釜類等で煮出し、抽出した液体と細粉化した籾殻を混合させた組成物を、洗浄剤や研磨剤として使用することにより、トイレの便器やタイル・ガラス・流し台等、使用を意図する対象物の水垢や油汚れ等を擦り落とす事が出来、また天然の素材を使用することにより手荒れを引き起こしにくくするために配慮し、さらに環境への負荷の低減を図ることを特徴とする。【特許請求の範囲】
【請求項１】
桑の葉や枝等を釜類等で煮出し抽出した液体と、細粉化した籾殻を混合させた、洗浄ないしは研磨用組成物。
【請求項２】
桑の葉や枝等を釜類等で煮出し抽出した液体と、細粉化した籾殻を混合させた、洗浄ないしは研磨用組成物を使用し、汚れを落とす場合等の対象物に直接かけるか、布他に付けて擦り、汚れを落としたりするために使う方法。
【発明の詳細な説明】
【技術分野】
【０００１】
この発明は、桑の葉や枝等を釜類等で煮出し、抽出した液体と、細粉化した籾殻を混合させた、洗浄ないしは研磨用組成物に関するもの、ならびに使用方法である。
【背景技術】
【０００２】
従来、水垢や油汚れを落とすには、クレンザー等の人工化学的洗浄剤が使用されている。
【発明の開示】
【発明が解決しようとする課題】
【０００３】
これは次のような欠点があった。クレンザー等の洗浄剤では水垢や油汚れの落ちにくい場合があり、またクレンザー等の洗浄剤は手荒れを引き起こす場合があり、また水質汚濁等への波及等環境への悪影響といった問題があった。
本発明は以上の欠点を解決し、効果的に水垢や油汚れ他を落とし、天然の素材を使用することにより手荒れを引き起こしにくくし、また環境への悪影響を低減するために、桑の煮出し液と細粉化した籾殻を使った組成物を幅広く使用するものである。
【課題を解決するための手段】
【０００４】
桑の葉や枝等を釜類等で煮出し抽出した液体をつくる。また細粉化した籾殻をつくる。そして桑の葉や枝等を釜類等で煮出し抽出した液体と細粉化した籾殻を混合させた組成物をつくる。本発明は、以上の構成よりなる洗浄ないしは研磨用剤、ならびにその使用方法である。
【発明の効果】
【０００５】
桑の葉や枝等を釜類等で煮出し抽出した液体をつくり、それに細粉化した籾殻を混合させた組成物を、洗浄ないしは研磨用剤として使用することにより、使用を意図する対象物の汚れを落としたり研磨したりすることができ、天然の素材を使用するため手荒れを引き起こしにくくし、また環境への悪影響を低減することが産業上の効果として望める。
汚れたトイレの便器やタイル・ガラス・流し台等の、使用を意図する対象物に、桑の葉や枝等を釜類等で煮出し、抽出した液体と細粉化した籾殻を混合させた組成物を掛けないで布で磨いた場合と、桑の葉や枝等を釜類等で煮出し、抽出した液体と細粉化した籾殻を混合させた組成物を掛けて布で磨いた場合を試した結果、桑の葉や枝等を釜類等で煮出し、抽出した液体と細粉化した籾殻を混合させた組成物を掛けないで布で磨いた場合汚れにはまったく変化がなく、桑の葉や枝等を釜類等で煮出し、抽出した液体と細粉化した籾殻を混合させた組成物を掛けて布で磨いた場合は汚れが綺麗に落ちた。
【発明を実施するための最良の形態】
【０００６】
以下、本発明の実施の形態について説明する。
トイレの便器やタイル・ガラス・流し台等、使用を意図する対象物の汚れを落とし、また研磨する場合において、桑の葉や枝等を釜類等で煮出し、抽出した液体と細粉化した籾殻を混合させた組成物を使用する場合、直接かけるか、布に付けて擦り、水垢や油汚れを落とし、水等の媒体で洗い流す。
【実施例】
【０００７】
以下、本発明の実施例について説明する。
第１工程  桑を枝と葉に分け、枝は３ｃｍ〜５ｃｍ程度に切断する。
第２工程  釜類等に適量の水と、切断した桑の枝を適量入れる。
第３工程  釜の水を摂氏９５度程度の温度まで加熱し、桑の枝を２時間程度煮出す。葉を煮出す場合には、摂氏７５度程度の温度まで釜類等の水を加熱し２時間程度煮出す。
第４工程  煮出した後の液体をミキサー等の混合用容器に入れる。
第５工程  乾燥した籾殻を用意する。
第６工程  乾燥した籾殻を細かく粉砕する。
第７工程  細かく粉砕した籾殻を、桑の煮出し液が入ったミキサー等の混合用容器に一緒に入れ混合させ、最終製品を得る。
本発明は、以上の構成よりなる洗浄ないしは研磨用剤である。
本発明を使用するときは、本発明の組成物をトイレの便器やタイル・ガラス・流し台等、使用を意図する対象物の汚れた場所に直接かける他、布や研磨用ペーパー等に付けて水垢や油汚れ等を擦り落とす。
【産業上の利用可能性】
【０００８】
本発明を使用することによって、トイレの便器やタイル・ガラス・流し台等、使用を意図する対象物の汚れを落とすことが出来、また自然の素材を使用しているので手荒れしにくく、しかも環境への負荷を低減できるという利点がある。
(57)【要約】      （修正有）【課題】地震によって家屋の倒壊を和らげる土台の提供。【解決手段】横揺れ時は、土台の中に入っているゴルフボールが深さ７ｍｍの溝からずれて動き、縦揺れ時は土台２下のゴムパッキンがクッションになって振動を和らげる。【選択図】図２
2007154408.tif 000002
【特許請求の範囲】
【請求項１】
木造住宅、基礎コンクリートから土台の振動（左右上下）和らげる免震土台
【請求項２】
基礎コンクリートと土台を、自在アンカーボルトで締め付ける
【発明の詳細な説明】
【発明の詳細な説明】
地震によって家屋の倒壊を和らげることを目的とする土台
【産業上の利用分野】
木造住宅在来工法は永久になくならない
【背景技術】今迄の土台は、基礎コンクリートに直接アンカーボルトで締め付けるか、基礎パッキンを置いて土台を敷くかで揺れの効果はまったく無い
【発明が解決しようとする課題】
地震の揺れ（縦、横）を防ぐ
【課題を解決する手段】
横揺れ時は、土台の中に入っているゴルフボールが深さ７ｍｍの溝からずれて動き、縦揺れ時は土台下のゴムパッキンがクッションになって振動を和らげる
【作用】
横揺れ時はゴルフボールが第４図Ｘ方向、Ｙ方向に動き、自在アンカーボルトで締め付けているので元に戻る
縦揺れは、土台の下のゴムパッキンが振動を吸収する
【実施例】図面を参照して説明すると、第１図は免震土台の断面である
土台は上と下に別れる構造で、中にゴルフボール、直径４．２ｍｍの丸い球が上７ｍｍ、下７ｍｍの丸い溝に入っていて、球は平常時には動かない、横に揺れた時は、自由に動き、基礎コンクリートはそのままの常態で土台上だけで揺れる  そして、縦方向の振動時は、第３図の、土台と基礎コンクリートの間のゴムパッキンで緩衝の役割をする  第１図断面図で、堅木のホゾが中にあって▲ハ▼基礎コンクリートに当ってる    縦方向の振動が来た時▲ロ▼、▲イ▼が同時に作用する  大きく振動があっても通常パッキン、１７ｍｍが効いている、ゴルフボールの球も反発する４５０ｃｍ間隔にあるので効果は大きい  自在アンカーボルトは通常通り約１，８００ピッチに入っている土台と自在アンカーボルト、ゴムパッキンの組み合わせた免震土台です
【発明の効果】
地震時の効果は安全、安心である
【構造】
基礎コンクリートに土台を乗せた時は、地震の横揺れ、縦揺れを、防ぐため材料を上と下に別け、自由に動く様に丸い球を使用する基礎からのアンカーボルトは固定しているが、土台部分上から下に６ｃｍの所で折れる自在アンカーボルトを使って、ゴムパッキンと通常パッキンの組み合わせを用い、ホゾがしっかり役割を果たし、基礎コンクリートに接するまでボルトを締め付ける  又、自在アンカーボルトなので、隙間の所はシリコンを注入して遊びをなくする
【効果】
地震時の横揺れ、縦揺れの時は、振動がかなり吸収する
【図１】
2007154408.tif 000003
【図２】
2007154408.tif 000004
【手続補正書】
【提出日】平成18年11月7日(2006.11.7)
【手続補正１】
【補正対象書類名】明細書
【補正対象項目名】全文
【補正方法】変更
【補正の内容】
【発明の詳細な説明】
【技術分野】
【０００１】この発明は地震によって木造家屋の倒壊を和らげる事を、目的とする土台である【０００２】従来の土台は、基礎コンクリートに直接、アンカーボトを締め付け、基礎パッキンを置いてボルトを締め付けるだけで横、縦の揺れは、まったく効果がなっかた【０００３】この横、縦の揺れを解決する為に、土台を半分に割ってその中に、ゴルフボールを入れ、自在アンカーボルトを使って基礎コンクリートに締め付ける【０００４】この、ゴルフボールが、土台の中、丸く切り抜いた所に入っているので横の揺れ、縦の振動等を和らげている【０００５】要するに、ゴルフボールを使った事により、横揺れ、縦揺れ両方を兼ねた、免震土台である
【図面の簡単な説明】〔免震土台〕【図１】  断面図    土台の中にゴルフボールが入っている
【図２】  断面図    土台
【図３】  断面図    自在アンカーボルト
【図４】  断面図    免震土台が基礎の上に乗っている
【図５】  平面図    免震土台
【符号の説明】
１  土台                    ６  ミゾ
２  土台                    ７  ミゾ
３  ゴルフボール            ８  樫木ホゾ
４  ゴムパッキン            ９  基礎コンクリート
５  通常パッキン          １０  アンカーボルト
【手続補正２】
【補正対象書類名】図面
【補正対象項目名】全図
【補正方法】変更
【補正の内容】
【図１】
2007154408.tif 000005
【図２】
2007154408.tif 000006
【図３】
2007154408.tif 000007
【図４】
2007154408.tif 000008
【図５】
2007154408.tif 000009
(57)【要約】【課題】  取手の高さを気にすることなく、開放状態でも裏側の扉を閉めることができ、本体への汚れや破損を防ぎ、製造コストを抑えられる襖や障子や建具用の縦枠。【解決手段】  襖・障子や建具や扉等、開閉する引き戸又は開き戸に用いる取手としての溝を、縦枠に片面又は両面に作成する。【選択図】  図1
2007154435.tif 000002
【特許請求の範囲】
【請求項１】
襖・障子や建具や扉等、開閉する引き戸又は開き戸に用いる取手としての前面又は背面に溝が入った縦枠。
【発明の詳細な説明】
【技術分野】
【０００１】
本発明は、開閉操作を容易にし、襖や障子や建具が壊れにくく、また汚れにくくなる縦枠に関するものである。
【背景技術】
【０００２】
襖や障子や建具では開閉するための取手は表面又は表裏の両面に取り付けられるのが一般的である。また取り付けられる高さも床から１メートル前後の高さになっている。
【発明の開示】
【発明が解決しようとする課題】
【０００３】
襖や障子や扉の建具の取手は、高さ方向の自由がない点であり、そのため子供には高すぎ、背の高い人間では低すぎる。
【０００４】
襖や障子や建具の取手は、製造工程で襖・障子・建具本体に取り付けられるため、絵や細工にかぶってしまうことがある。また従来はこの取手にかぶらないように絵や細工を施すという制約として存在している。
【０００５】
押し入れなどに使用される襖では表面の片面のみ取手が取り付けられているが、手を回して閉めることは不可能であり、開閉における制約として存在している。特に解放されていた場合に、裏側の襖のみを閉じる動作はできない。
【課題を解決するための手段】
【０００６】
本発明は、襖や障子や建具に使用される縦枠に取手として使用する溝を片面あるいは両面に作成する。
【０００７】
縦枠は溝を施しても十分に耐えられる強度を持するか、溝の一部または全体強度を維持できる補強を施す。
【発明の効果】
【０００８】
縦枠に作成する溝は高さ方向で自由度が高く、子供でもお年寄りでも、背の高い使用者でも不快感無く使用することができる。
【０００９】
開放状態になっていても、裏側の取手に手を回して閉めることが可能になる。
【００１０】
取手を後から取り付けないため、取手の破損がなくなる。
【００１１】
襖本体に取手を取り付けないため、取手周辺の汚れが襖本体の絵や細工に広がるのを防ぐ。
【００１２】
襖本体に取手を取り付けないため、襖の絵や細工の制限がなくなる。
【００１３】
取手を後で取り付ける必要がないため、部品代や作業費等の製造コストを下げることができる。
【発明を実施するための最良の形態】
【００１４】
取手は溝として縦枠の中に納めた。
【００１５】
溝の幅、広さ、長さは縦枠に使用する材料の強度、使用者の都合等によって決定する。
【００１６】
溝は縦枠の上から下まで通すものと、途中だけのものと使用するケースによる分けられ、形状は使用者に合わせて調整することが可能である。
【図面の簡単な説明】
【００１７】
【図１】取手として使用する溝を表裏両面に作成した縦枠を組んだ引き戸（襖・建具等）
【図２】取手用の溝を上から下まで通した縦枠を組んだ開き戸（ドア等）
【符号の説明】
【００１８】
１  引き戸の開く方向
２  開き戸の開く方向
【図１】
2007154435.tif 000003
【図２】
2007154435.tif 000004
(57)【要約】【課題】既存の団地において、既存の建物に影響無く、安価に防犯設備を設置し安全を高めようとするものである。【解決手段】既存の団地において、防犯工事を行なう際に、団地を囲うようにフェンス等を設置し、エントランスを１箇所もしくは数箇所設け、エントランス付近に郵便コーナーや宅配ボックス、管理室などを設け、集中管理し、オートロック設備などを設ける防犯改良法である。【選択図】図２
2007154628.tif 000002
【特許請求の範囲】
【請求項１】
既存の団地において、周囲をフェンス等で囲い、エントランスを１個所もしくは数箇所設け、エントランス付近に郵便コーナーや宅配ボックス、管理室などを設け、防犯性を高めた防犯改良法。
【発明の詳細な説明】
【技術分野】
【０００１】本発明は既存の団地において、防犯工事を行なう際に、団地を囲うようにフェンス等を設置し、エントランスを１箇所もしくは数箇所設け、エントランス付近に郵便コーナーや宅配ボックス、管理室などを設け、オートロック設備などで防犯する防犯改良法である。
【背景技術】
【０００２】従来は、既存の団地における防犯設備としては、個々の住戸の建具に防犯設備を設けるか、棟ごとに防犯設備を設ける方法しかなかった。
【発明の開示】
【発明が解決しようとする課題】
【０００３】従来の団地においては開放的な団地が多かったために、防犯設備は住戸の建具に設ける防犯設備が主で、階段室にいったん人が侵入すると、外部からは見えにくく、ピッキングなどしやすいという欠点があった。また棟ごとに防犯設備を設置する場合もあったが費用がかかり、棟ごとに孤立する欠点があった。
【課題を解決するための手段】
【０００４】この課題を解決するための請求項１の発明は、既存団地の周囲にフェンスを設置し、１箇所もしくは状況により数箇所のエントランスを設け、エントランス付近に郵便コーナーや宅配ボックス、管理室などを設け、集中管理し、入居者以外の人の出入りを規制するものである。【０００５】エントランスで人のみ中に入れる方式と、自転車、あるいは自動車も自動扉等で制御して内部に進入させるタイプがある。
【発明の効果】
【０００６】本発明により、団地における防犯が確立し、不法進入者による犯罪等防ぐことができる。また棟ごとに防犯設備を設置するより費用が掛からない。
【発明を実施するための最良の形態】
【０００７】図１は団地全体をフェンス等で区画した配置図である。駐車場は外部に設ける。工事は既存団地にほとんど触れずに施工するので、容易に行なえる。【０００８】図２は団地と団地との間を駐車場にして、駐車場も区画内部に配置した図である。駐車場へはリモコン操作等により開閉装置を作動させ進入する。【０００９】図３は団地と団地との間を駐車場にして、駐車場は防犯区画の外に配置した配置図である。これにより歩車分離ができ、歩行者に安全な区画が生まれる。
【産業上の利用可能性】
【００１０】防犯区画がはっきりすることで、犯罪が減り、高級感が増し、子供たちも安心して遊べ、居住性が高まるので団地の需要が上がることから、建築の産業上の利用可能性が高い。
【図面の簡単な説明】
【００１１】
【図１】図１は団地全体をフェンス等で区画して外部と遮断した配置図である。
【図２】図２は団地と団地との間を駐車場にして、駐車場も区画内部に配置した図である。
【図３】図３は団地と団地との間を駐車場にして、駐車場は防犯区画の外に配置した配置図である。
【符号の説明】
【００１２】１  既存団地
２  フェンス
３  エントランス
４  郵便コーナー
５  宅配ボックス
６  管理室
７  駐車場
【図１】
2007154628.tif 000003
【図２】
2007154628.tif 000004
【図３】
2007154628.tif 000005
(57)【要約】【課題】長屋や共同住宅などの区分所有建物は、土地は共有で敷地利用権であり、専用使用権は一部しか認められない。各住戸の所有権ではないため、使用に制限があった。また、将来建替えや改築をする際、区分所有建物としての制限があり、工事が困難となることがあった。【解決手段】この課題を解決するために、土地を住戸それぞれもしくは数戸での専有権の土地と、敷地内通路や機械室、玄関ホールなどの共有権の土地とに明確に区分し、将来分筆して専有権の土地を所有権に転換しやすいようにしたものである。【選択図】図２
2007154629.tif 000002
【特許請求の範囲】
【請求項１】
敷地に長屋や共同住宅などの区分所有建物を建築する際、通常は共有持分の敷地利用権が定められている土地を、住戸それぞれもしくは数戸での専用の土地と、敷地内通路や機械室、玄関ホールなどの共有持分の土地とに明確に区分し、将来分筆して専用の土地を所有権に転換できやすいようにした敷地分割法。
【発明の詳細な説明】
【技術分野】
【０００１】敷地に長屋や共同住宅などの区分所有建物を建築する際、通常は共有持分の敷地利用権が定められている土地を、住戸それぞれもしくは数戸での専用の土地と、敷地内通路や機械室、玄関ホールなどの共有持分の土地とに明確に区分し、将来分筆して専用（専有権）の土地を所有権に転換しやすいようにした敷地分割法である。
【背景技術】
【０００２】従来、長屋や共同住宅などの区分所有建物においては、土地は敷地利用権とするのが区分所有法に定められている。専用使用権という考えはあったが、専用庭、バルコニー等、わずかな部分に限られていた。
【発明の開示】
【発明が解決しようとする課題】
【０００３】長屋や共同住宅などの区分所有建物は、土地は敷地利用権であるため、明らかに１住戸しか使用しない部分のみ専用使用権が定められていたが、権利はすべて共有であり、使用に制限があった。また改築や建替えの際、全体で１つの建物であるため建替え決議等の必要性があり、実行に時間がかかり、反対者が多い場合など、改装や建替え等困難になる場合も少なくなかった。【０００４】また１戸建分譲の場合は開発申請をして分筆し、新たに道路を設置する必要があったりするため、開発申請や工事の時間と費用がかかった。
【課題を解決するための手段】
【０００５】住戸それぞれもしくは数戸での専用の土地（専有権とする）と、敷地内通路や機械室、玄関ホールなどの共有持分の土地との区分を明確にし、将来分筆して専有権の土地を所有権に転換しやすいようにしたものである。これにより敷地の区画が明確になり、１住戸もしくは数戸の改修や建替えも可能になる。
【発明の効果】
【０００６】本発明により、各住戸もしくは数戸の土地の専有が明確化し、１住戸もしくは数戸の改修や建替え等がしやすくなり、住民の所有意識が高まり、管理意識の向上につながる。【０００７】専用庭の区画、仕上げ等自由にでき、防犯が確立する。また開発申請、道路工事などの時間や費用の無駄が省ける。将来必要になった際、道路申請を行ない、宅地を所有権に転換できるので、１住戸もしくは数戸の改修や建替えもしやすくなる。
【発明を実施するための最良の形態】
【０００８】図１は従来、１筆の土地で建築を行なう際の敷地図である。このように従来は土地を分割することは無い。【０００９】図２は土地を住戸配列に合わせて専有権を確定した図である。この時、各区画ごとに将来にも建築にあたって法律上問題無いようにし、敷地内通路等共用部分と区分けをする。【００１０】図３は分割した土地に建物を配置した平面図である。各住戸の土地の所有にあわせ、住戸を配置する。【００１１】図４は、将来、敷地内通路を道路として申請し、１住戸もしくは数戸を切り離して改築、もしくは建替えした時の図面である。建築基準法上の問題は無い。
【産業上の利用可能性】
【００１２】本発明は長屋や共同住宅などの区分所有の建物を建築する際、土地を専有権（専用使用権を明確にしたもの）と共有権に明確に区分し、将来、専有権の所有権への移行がしやすくなるため、土地の利用が促進し、また初期の開発工事などの時間と費用の無駄が省けるので、不動産の産業上の利用可能性を有する。
【図面の簡単な説明】
【００１３】
【図１】図１は従来の１筆の土地に建築する際の敷地図である。
【図２】図２は土地を専有権部分と共有部分に分割した図である。
【図３】図３は分割した土地に建物を配置した平面図である。
【図４】図４は将来、敷地内通路を道路にし、分筆して建物の一部を切り離した状態の図である。
【符号の説明】
【００１４】１  敷地
２  道路
３  専有権の土地
４  敷地内通路として使われる共有持分の土地
５  共有持分の建物が建つ共有持分の土地
６  建物（専有部分）
７  建物（共有部分）
【図１】
2007154629.tif 000003
【図２】
2007154629.tif 000004
【図３】
2007154629.tif 000005
【図４】
2007154629.tif 000006
(57)【要約】【課題】高齢者や身体の不自由な人が一人で座ったまま脱ぐ、お尻を拭く、着るの動作を可能にし自立を促すこと、介護者が補助する場合でも一連の作業を軽減すること。【解決手段】便器の両側面に介護用のヘコミ穴３を設け、そのヘコミ穴に羽根（出っ張り）状のフチ４を設けたことを特徴とする。【選択図】図１
2007154637.tif 000002
【特許請求の範囲】
【請求項１】
便器１と便器の中蓋６、座部の両側面に介護用のヘコミ穴３と羽根（出っ張り）状のフチ４を設けることを特徴とする構成の腰掛便器。
【請求項２】
羽根（出っ張り）状のフチ４の上部や横部に取っ手５をつけた、あるいは取っ手となるよう肉盛した請求項１の便器。
【請求項３】
羽根（出っ張り）のないヘコミ穴３だけで構成される請求項１の便器。
【請求項４】
請求項１、２、３において、開閉、スライド、昇降などの機構により介護用ヘコミ穴３を便器に現出させる便器。
【請求項５】
請求項１，２、３、４の特徴を具備した補高便座、据え置き式便座、ポータブルトイレ、オマル。
【発明の詳細な説明】
【技術分野】
【０００１】本発明は便器の介護用ヘコミ穴構造に関するものである。
【背景技術】
【０００２】従来の家庭や公共の障害者用トイレ設備であっても、せいぜい手すりと普通の洋式便器が設置されているだけである。これでは介護者が要介護者を脱がし、お尻を拭き、着せるの一連の作業を行うのに、要介護者を支持しながら中腰の姿勢を強いられている。これは腰に負担がかかり、体力的にも重労働である。また高齢者や麻痺のある人が壁や手すりをたよりに一人でトイレする場合では不安定で転倒の危険すらあった。
【発明の開示】
【発明が解決しようとする課題】
【０００３】高齢者や身体の不自由な人が一人で安全に、安定した座ったままの状態で一連の排泄行為を行えるようにすることで自立を促すこと。介護者が要介護者を補助する場合においても、脱がす、お尻を拭く、着せるという一連の作業を軽減することが目的である。
【課題を解決するための手段】
【０００４】本発明は高齢者や身体の不自由な人を安全な座ったままの状態で脱ぐ、お尻を拭く、着るの動作ができることを目的に開発されている。そのためにヘコミ穴３と羽根（出っ張り）状のフチ４をつけることでトイレでの一連の動作が可能となった。
（イ）請求項１では介護用ヘコミ穴３と羽根（出っ張り）状のフチ４を腰掛式便器、中蓋や座部の両側面に設けることを特徴とする。。
（ロ）請求項２では羽根（出っ張り）状のフチ４に取っ手５をつけた、あるいは肉盛をして取っ手としたことを特徴とする。
（ハ）請求項３では省スペース用に羽根（出っ張り）状のフチ４の部分をなくしたことを特徴とする。
（ニ）請求項４では介護用ヘコミ穴３を開閉、スライド、昇降などの機構により現出させることを特徴とする。
（ホ）請求項５では上記の特徴を具備した歩行便座、据え置き式便座、ポータブルトイレ、オマル。
以上のごとく構成される自立を促がすための介護用トイレである。
【発明の効果】
【０００５】本発明は以上のような構成であるから要介護者が座ったまま次のようなことが可能になった。
（ａ）便座の前のほうに腰掛けてヘコミ穴３を利用し半ケツになる。
（ｂ）羽根（出っ張り）状のフチ４をつかんでお尻の半ケツと次に脱ぎたい部分をヘコミ穴３までもって行きズリ下げる。
（ｃ）（ｂ）の行為を繰り返し、望ましい位置まで来たら排泄する。
（ｄ）排泄が終わったらヘコミ穴３を使いお尻を拭き、（ｂ）の動作を逆さにして衣服を身につける。
したがって、高齢者や身体の不自由な人であっても安全な座ったままの姿勢で安定して以上のトイレ動作ができるのである。
また、介護者がお尻を拭くときに前からでは心理的に抵抗があり、要介護者を前にずらし後ろから拭くには住宅等のせまいトイレでは身体の入れ換えが困難であった。本発明では横からヘコミ穴３を利用して拭けるので心理的抵抗を軽くし、狭いトイレスペースでも便利。
さらに、取っ手５をつけることより（ａ）〜（ｄ）の動作で前後動する助けとなり、排泄中の座位の維持にも役立つのである。
以上で課題を解決する効果が生まれた。
【発明を実施するための最良の形態】
【０００６】以下、本発明の実施例について説明する。
腰掛式便器の中蓋や座部の両側面にヘコミ穴３を設け、羽根（出っ張り）状のフチ４を設ける。このヘコミ穴３と羽根（出っ張り）状のフチ４の形状は楕円型でも四角、三角でも何でもよいのである。
羽根（出っ張り）状のフチ４には取っ手５をつける、または取っ手となるよう肉盛りし滑り止めの処理をしてもよい。
本発明は以上のような構造で羽根（出っ張り）状のフチ４や取っ手５を手でつかみヘコミ穴３を利用して（ａ）〜（ｄ）の動作で排泄すればよいのである。
なお、前後動するため便器をやや大型、ないし前後に少し細長くすると安定する。
【産業上の利用可能性】
【図面の簡単な説明】
【０００７】
【図１】本発明の請求項１の斜視図である。
【図２】本発明の請求項３の斜視図である。
【図３】便座の上面に取っ手をつけた請求項２の図。（寸法・形状の比例関係に誇張あり）
【符号の説明】
【０００８】１便器本体。
２便器の蓋
３ヘコミ穴
４羽根（出っ張り）状のフチ
５取っ手
６便器の中蓋
【図１】
2007154637.tif 000003
【図２】
2007154637.tif 000004
【図３】
2007154637.tif 000005
(57)【要約】      （修正有）【課題】建築物の断熱工事を容易に施工する。【解決手段】現状の建築物・建材に手を加えることなく、現状での建材の形状、及び金具Ａに一例として示したものを併せて利用することで、誰でも短時間で容易に建築物の断熱工事を施工することを可能とする。接着や、建材・建築物への追加工・追加工事が不要なため、工事費用についても大幅な削減が期待される。また、断熱材においても一般に市販・仕様されているものを使用するため、現在行われている断熱工事と同等の効果が期待される。【選択図】図Ｄ−１
2007154639.tif 000002
【特許請求の範囲】
【請求項１】
主にスレート建材の屋根および壁を使用した建築物に、容易に断熱処理を施工する方法。
【発明の詳細な説明】
【技術分野】
【０００１】  本発明は、現状のスレート屋根や壁に対して誰でも簡単に、かつ短時間に断熱処理を実施できる方法を提案するものである。
【背景技術】
【０００２】  現在、スレート建材は工場や倉庫などに広く使われている。また、それに対して内部温度を保つためにさまざまな断熱工事や断熱処理が考案されたり実施されたりしている。しかしその多くは専門業者による施工が必要であり、また施工時間が長時間必要となるものもある。このため、工場や倉庫の使用、作業に支障をきたすこともある。
【発明の開示】
【発明が解決しようとする課題】
【０００３】［０００２］で述べた問題点を解決するために、建材加工や接着加工といった専門的な工事を実施することなく、また、短時間で断熱処理を簡単に施工できる方法を提供しようとするものである。そのために本発明では、現状の設備や建材に手を加えるのではなく、建材として広く使われている、Ｃフレームと呼ばれる構造材の形状を利用し、併せて市販されている断熱材および、薄い金属板からなる金具を使用することで工事自体を簡略化できることを特徴としている。
【発明を実施するための最良の形態】
【０００４】次に図Ａ−１から図Ｄ−２により発明の実施の形態を説明する。【０００５】図Ｃ−１より、断熱工事の側面図を順番に示す。なお、Ｅは屋根部を構成するスレート建材であり、Ｃは一般にＣフレームと呼ばれる金属製の建材である。なお、Ｃ、Ｅを建材Ｃ、建材Ｅと略し表記する。また、Ｄは断熱材である。まず、断熱材Ｄの端部を建材Ｃの開口部に差し込む。次に、図Ｃ−２に示すように、レール状の金具Ｂを断熱材Ｄに取り付ける。なお、金具Ｂは図Ｂに示すような断面形状であり、ｂ’及びｃ’の開口部をそれぞれ２箇所備えている。同時に、金具Ａを金具Ｂに取り付ける。金具Ａの断面を、建材Ｃの断面と併せて図Ａ−１に示す。金具Ａはａ部がｂ部を支点にして手で折り曲げることができ、開口部ｃを備えている。また、建材Ｃに対して図の位置での取り付けができるものである。金具Ａの開口部ｃと、金具Ｂの開口部ｃ’は形状、寸法ともに組み合わせが可能なものとする。故に、金具Ｂに対して金具Ａは固定される。なお、図Ｃ−２の俯瞰図として、図Ｄ−１を示す。
次に、図Ｃ−３に示すように、金具Ａ及びＢを取り付けた断熱材Ｄを矢印方向へ移動する。同時に金具Ａを建材Ｃに取り付ける。この時点での金具Ａと建材Ｃの位置関係は先に図Ａ−１で示した通りである。
最後に、図Ｃ−４に示すように金具Ａを建材Ｃに固定する。固定方法は、図Ａ−２に示すように、ａ部を矢印方向に折り曲げて固定する。これにより断熱材Ｄは縦方向、横方向ともに固定される。その様子を図Ｄ−２に俯瞰図として示す。図Ａ−２において、ａ部は金具Ｂ′を固定する役目を同時に持たせるものとする。金具Ｂ′は金具Ｂと同じものである。その様子は図Ｄ−２の図中に示す。
以上の作業を繰り返すことにより断熱工事を施工できる。
【発明の効果】
【０００６】［０００５］で記述した工事方法における最大の利点は、現状の屋根や壁に直接手を加えることなく、また特殊な工具や接着剤などを用いることなく、誰でも簡単に断熱工事が施工できる点である。現状の建築物・建材に手を加えない為、工事期間を大幅に短縮でき、同時に工事費用の大幅な削減も期待できる。
また、断熱材は現在一般に市販・使用されているものを使うため、断熱効果も既存の工事方法と同等の効果が見込めるものである。
【図面の簡単な説明】
【０００７】
【図Ａ−１】金具Ａ及び建材Ｃの断面図である。
【図Ａ−２】金具Ａにおいて、ａ部を折り曲げた時の断面図である。
【図Ｂ】金具Ｂの断面図である。
【図Ｃ−１】工法の説明図である。
【図Ｃ−２】工法の説明図である。
【図Ｃ−３】工法の説明図である。
【図Ｃ−４】工法の説明図である。
【図Ｄ−１】図Ｃ−２における俯瞰図である。
【図Ｄ−２】図Ｃ−４における俯瞰図である。
【０００８】［図面に対する補足］
［図Ａ−１］、［図Ａ−２］、［図Ｂ−１］に示した金具は、図中においてはあくまで一例である。建築物、建材の大きさ、断熱材の大きさ、状況などによっては形状などが若干変わる場合がある。そのため、図中では最低限付随する形状を示した。そのため、大きさなど仕様に関する説明は省略するものとする。
【図Ａ−１】
2007154639.tif 000003
【図Ａ−２】
2007154639.tif 000004
【図Ｂ】
2007154639.tif 000005
【図Ｃ−１】
2007154639.tif 000006
【図Ｃ−２】
2007154639.tif 000007
【図Ｃ−３】
2007154639.tif 000008
【図Ｃ−４】
2007154639.tif 000009
【図Ｄ−１】
2007154639.tif 000010
【図Ｄ−２】
2007154639.tif 000011
(57)【要約】      （修正有）【課題】非常時に、採水管のバルブを全開にして手動ポンプを挿入し、管路の残水（４０リットル）を汲み上げて飲料水として利用出来る水道直圧式で貯水可能の配管システムを提供する。【解決手段】日常的には、採水管上部で分岐した散水栓が庭の水撒き、自動車の洗車等で利用されるので管路には常時水が流れる。その為、貯水が腐敗する事はない。非常時の断水の場合は、採水管上部のバルブ（１）を全開とし、手動採水ポンプを管路の底部まで挿入し、管路の残水４０リットルを吸い上げて、飲料水の確保ができる事を特徴とする。【選択図】図２
2007154640.tif 000002
【特許請求の範囲】
【請求項１】
水道用硬質塩化ビニール管（ＪＩＳＫ６７４２）と、その継手を使用し水の流れが滞ることなく、水の腐敗をなくし、且つ断水時には管路の残水を飲料水として採水管（１）を通じて市販の手動ポンプで吸い上がる構造とした。（この時、仮栓のキャップ（６）を外しバルブ（５）は全開にする）
【発明の詳細な説明】
2007154640.tif 000003
【技術分野】
【０００１】この発明は、防災時における、直圧密閉型の防災用貯水配管システムに関するものである。
【背景技術】
【０００２】従来、高圧容器やストレージタンクなど密閉型のタンクはあった。
【発明の開示】
【０００３】これには、次のような欠点があった。
（イ）住宅の給水設備として使用するには、ＪＩＳもしくは（社）日水協の認定を取得する必要があった。
（ロ）タンクの製作に技術と時間と費用の問題があった。
（ハ）水が滞留して、腐敗の恐れがあった。
（ニ）防災時における１世帯当り最低確保の水量（３１．５リットル）に対する配慮がなかった。
本発明は、これらの欠点を除く為になされたものである。
【課題を解決するための手段】
【０００４】ＪＩＳに適合する材質及び強度を有した、耐衝撃性ビニール管１００φとその継手の、エルボ・チーズ等で配管接続をし、上部の一方を水道の取り入れ口とし、下方の管末より採水口（１）を地表まで立上げ、バルブを設け、仮栓で異物の混入を防ぐ構造とする。又、採水管の近くで日常的使用する散水栓を設ける。もしくは、居室の給水栓に接続する。
本発明は、以上のような構成よりなる水道密閉直圧式で貯水できる配管システムである。
【発明の効果】
【０００５】発明は、以上のような構造で、防災時には管末より分岐した採水管の上部に設けたバルブ（１）を全開し、採水管に手動の採水ポンプを挿入することで管路の残水を汲み上げ防災時の飲料水として確保できる。
【発明を実施するための最良の形態】
【０００６】以下、本案の実施の形態について説明する。
（イ）水道法に適合する材質及び強度を有した、耐衝撃性ビニール管とその継手のエルボ・チーズで配管接続した貯水可能なパイプラインの上部の一方を給水の取り入れ口として、その部分に止水栓（２）及び逆流防止弁（３）を設け、断水時にサイフォン作用による逆流防止を防ぐ、又、止水栓と逆流防止弁の間は、ポリエチレン管で接続し、防震対策とする。
（ロ）平常は採水管の上部のバルブを閉にして仮栓を用いて汚物の混入を防ぐ。非常時は採水管の上部のバルブを全開し、仮栓を外し、採水手動ポンプを採水管に挿入して貯水を汲み上げます。
（ハ）平常時は採水管の上部より分岐した散水栓が日常的に使用される為管路は流動するので貯水が腐敗することはありません。
（ニ）この時の貯水量は、
防災基準の１世帯当３．５人×３日×３リットル／人日＝３１．５リットルの国土交通省の指針以上の貯水量以上を確保する。その為には耐衝撃性ビニール管の総延長を４．０ｍ以上とします。
【図面の簡単な説明】
【０００７】
【図１】本発明の平面図である
【図２】本発明の断面図
【符号の説明】
【０００８】１  採水口    ２  止水栓    ３  逆止弁    ４  散水栓
５  採水口バルブ    ６  採水口仮栓    ７  取り入れ口
８  防災グッズ収納庫
【図１】
2007154640.tif 000004
【図２】
2007154640.tif 000005